(57)【特許請求の範囲】
【請求項１】
左右のカップ部をフロントの中央部で連結・分離可能とする雌雄のホック部材が左右のカップ部に装着されているフロントホックブラジャーにおいて、
雌雄のホック部材を肌側から被覆する当布を設け、
前記当布は、その基部のみが左右のカップ部の一方に取り付けられ、先端が自由端として他方のカップ部に向けて延設されており、
前記当布は、前記雌雄のホック部材のいずれとも一体化されないで設けられていることを特徴とするフロントホックブラジャー。
【請求項２】
前記当布は、少なくとも緩衝性と吸汗性を備えた素材で構成されていることを特徴とする請求項１に記載のフロントホックブラジャー。
【発明の詳細な説明】
【技術分野】
【０００１】
本発明は、フロントホックブラジャーに関するものである。
【背景技術】
【０００２】
一般に、フロントホックブラジャーは、左右のカップ部をフロントの中央部で連結・分離可能とする雌雄のホック部材が左右のカップ部に装着されている（例えば、特許文献１参照）。
【先行技術文献】
【特許文献】
【０００３】
【特許文献１】実公平４−１７５２３号公報
【発明の概要】
【発明が解決しようとする課題】
【０００４】
従来のフロントホックブラジャーは、左右のカップ部に取り付けられた雌雄のホック部材が着用者の肌側に露出されたままの構成とされている。従って、従来のフロントホックブラジャーは、その着用時、雌雄のホック部材が、着用者の肌に直接接触することになっている。この雌雄のホック部材は、通常、樹脂又は金属などの硬質材料で構成されており、これが着用者の肌に直接接触していると、着用者の動作、例えば、上下屈伸動作や斜め伸縮動作等によって、雌雄のホック部材が肌に強く当たって痛みや圧迫感（さらには、圧迫痕）を生じる不具合があった。
【０００５】
また、着用者の胸部中央は、胸部や首部の発汗作用に伴う汗の集合し易い箇所でもあるが、従来のフロントホックブラジャーは、汗に対する対策がとられておらず、不快感を伴う不具合があった。
本発明は、従来のフロントホックブラジャーの前記問題点に鑑みて開発されたものであって、その目的とするところは、左右のカップ部の間に設けられる雌雄のホック部材による胸部中央部の肌への痛みや圧迫感を緩和すること、さらには、該部に吸汗性を付与して不快感を改善し得るフロントホックブラジャーを提供することにある。
【課題を解決するための手段】
【０００６】
前記目的を達成するために本発明は、左右のカップ部をフロントの中央部で連結・分離可能とする雌雄のホック部材が左右のカップ部に装着されているフロントホックブラジャーにおいて、雌雄のホック部材を肌側から被覆する当布を設けたことを特徴としている。
この構成によれば、前記当布によって、左右のカップ部の間に設けられる雌雄のホック部材が肌に直接接触することを防止することができる。
【０００７】
前記当布は、その基部が左右のカップ部の一方に取り付けられ、先端が自由端として他方のカップ部に向けて延設されているのが好ましい。
この構成によれば、左右のカップ部の分離時、当布が一方のカップ部と一体となって分離されるため、左右のカップ部の分離に当布が支障とならず、また、一方のカップ部に当布を取り付けるだけでよいため、当布の製作手間及び取付工数が削減できる。
【０００８】
前記当布は、少なくとも緩衝性と吸汗性を備えた素材で構成されているのが好ましい。
この構成によれば、左右のカップ部の間に設けられる雌雄のホック部材による胸部中央部の肌への痛みや圧迫感を当布の緩衝性によって緩和し、さらには、当布の吸汗性によって胸部や首部に発生して左右のカップ部の間に集合する汗を効率よく吸収して不快感を改善することができる。
【発明の効果】
【０００９】
本発明によれば、左右のカップ部の間に設けられる雌雄のホック部材による胸部中央部の肌への痛みや圧迫感を緩和すること、さらには、該部に吸汗性を付与して不快感を改善し得るフロントホックブラジャーを提供することができる。
【図面の簡単な説明】
【００１０】
【図１】本発明の実施形態を示す肌側から見た要部概略正面図である。
【図２】図１の要部概略平面図である。
【図３】雌雄のホック部材の分離状態の概略斜視図である。
【図４】本発明で使用する当布の一例を示す拡大断面図である。
【発明を実施するための形態】
【００１１】
以下、本発明に係るフロントホックブラジャーの実施形態を図面を参照して説明する。
本発明に係るフロントホックブラジャーは、図１、図２に示すように、左右のカップ部１，２と、左右のカップ部１，２をフロントの中央部で連結・分離可能とする雌雄のホック部材３，４と、雌雄のホック部材３，４を肌側から被覆する当布５とを備えている。
左右のカップ部１，２は、下半部が左右の土台部６，７と、この土台部６，７から左右両側に延設される両脇部（図示省略）とに縫着されており、この両脇部（図示省略）には後部バンド部（図示省略）が連結されている。後部バンド部は、左右に分離されておらず、弾性に富む素材によって一連に構成され、着用時、着用者の背中部に当接される。左右のカップ部１，２の上部両脇側には肩紐８，９の一端が縫着されており、この肩紐８，９の他端側は後部バンド部に係止リング（図示省略）を介して連結されている。肩紐８，９の途中には、長さ調整具（図示省略）が設けられている。
【００１２】
土台部６，７は、フロント中央部において左右に分離されており、この分離部分にホック取付部６ａ、７ａが形成されている。
雌雄のホック部材３，４は、図３に示すような構成のものが使用されている。先ず、雌側のホック部材３は、取付基部３ａと、この取付基部３ａの片側に隣接して一体に形成された軸受筒部３ｂとを有し、雄側のホック部材４は、取付基部４ａと、この取付基部４ａの片側に２つのブリッジ部４ｂを介して一体に離間形成されたヒンジ軸部４ｃとを有している。
【００１３】
雌側のホック部材３の軸受筒部３ｂは、下部だけが円筒状とされているが、下部を除く上部が取付基部３ａの隣接方向と直交する方向に開口部３ｃを形成した半円筒状とされ、この半円筒状の開口部３ｃの一方の筒壁（取付基部３ａが形成されている方向と反対側の筒壁）には、雄側のホック部材４の２つのブリッジ部４ｂを係合させるための２つの切欠部３ｄが形成されている。
【００１４】
この構成によって、雌側のホック部材３の軸受筒部３ｂに対して、雄側のホック部材４のヒンジ軸部４ｃを上部から差し込めば、雌雄のホック部材３，４を連結することができる。但し、雄側のホック部材４の取付基部４ａに対するヒンジ軸部４ｃの向きを、雌側のホック部材３の軸受筒部３ｂの開口部３ｃの向きに合わせて（従って、雌側のホック部材３と雄側のホック部材４とを直交させた状態として）上方から差し込む。そして、下端まで差し込むと、その位置で雌側のホック部材３に対して雄側のホック部材４が一直線状態となるように雌側のホック部材３に対して、雄側のホック部材４をヒンジ軸部４ｃの回りで９０°回動させる。これにより、雄側のホック部材４の２つのブリッジ部４ｂを雌側のホック部材３の２つの切欠部３ｄに係合させることができる。この係合状態を保持させるために、２つの切欠部３ｄの間の筒壁外面に三角形状の係止爪３ｅが形成されている。この係止爪３ｅは、雌雄のホック部材３，４を一直線状に連結された状態を保持させるために設けられている。
【００１５】
雌雄のホック部材３，４を分離するには、雌側のホック部材３に対して、雄側のホック部材４をヒンジ軸部４ｃの回りで一直線状態から直交状態に９０°回動させ、この状態で雄側のホック部材４を上方へ引き抜けばよい。
係止爪３ｅは、雌雄のホック部材３，４を直交状態から一直線状態に回動させるとき、及び、一直線状態から直交状態に回動させるとき、その途中で、雄側のホック部材４の取付基部４ａの外面と当接して三角形状の山を乗り越えさせるように形成されている。この乗り越えは、係止爪３ｅ及び取付基部４ａの外面の弾性変形を利用して行われる。
【００１６】
雌雄のホック部材３，４の取付基部３ａ，４ａには、縦方向の長孔３ｆ、４ｄが形成されており、この長孔３ｆ、４ｄに土台部６，７のホック取付部６ａ，７ａを挿入して折り返し、この折り返し端部を土台部６，７に縫着糸６ｂ、７ｂで縫着することによって、雌雄のホック部材３，４を土台部６，７の左右分離端に取り付けられている。
この雌雄のホック部材３，４を肌側から被覆する当布５が設けられている。この当布５は、その基部５ａが左右のカップ部１，２の一方（図１，２では、右側のカップ部２）に取り付けられ、先端５ｂが自由端として他方のカップ部（図１，２では、左側のカップ部１）に向けて延設されている。
【００１７】
具体的には、当布５の基部５ａが、図１，２に示すように、二つ折りに折り返されて右側のカップ部２を取り付けている右側の土台部７の端部の肌側の面に縫着糸５ｃで縫着されている。
この当布５は、少なくとも緩衝性と吸汗性を備えた素材で構成されていればよい。例えば、図４に示すように、内層５ｄ、外層５ｅ、中間層５ｆの３層構造とし、少なくとも、内層５ｄには、肌当たり及び通気性のよい生地（例えば、ポリエステル、綿、その他）、外層５ｅには、水分蒸散性のよい生地（例えば、ナイロン、綿、その他）、中間層５ｆには、吸水性及びクッション性のよい素材（例えば、綿繊維シート、不織布、その他）を使用して構成するのが好ましい。
【００１８】
なお、当布５は、上記構成のものを左右２枚使用し、それぞれの当布５，５の基部５ａ，５ａを左側カップ部１と右側のカップ部２とに観音開き状態で取り付けるようにしてもよい。
本発明に係るフロントホックブラジャーの実施形態は、以上の構成からなるため、左右のカップ部１，２の間に設けられる雌雄のホック部材３，４が肌に直接接触することを防止することができる。
【００１９】
また、左右のカップ部１，２の分離時、当布５が一方のカップ部２と一体となって分離されるため、左右のカップ部１，２の分離に当布５が支障とならず、また、一方のカップ部２に当布５を取り付けるだけでよいため、当布５の製作手間及び取付工数が削減できる。
さらに、左右のカップ部１，２の間に設けられる雌雄のホック部材３，４による胸部中央部の肌への痛みや圧迫感を当布５の緩衝性によって緩和し、さらには、当布５の吸汗性によって胸部や首部に発生して左右のカップ部１，２の間に集合する汗を効率よく吸収して不快感を改善することができる。
【００２０】
本発明に係るフロントホックブラジャーは、以上の実施形態からなるが、本発明は、この実施形態にのみ制約されるものではなく、特許請求の範囲に記載の範囲内で自由に変更して実施することができる。例えば、当布５の自由端５ｂを相手側に面ファスナーや粘着テープ等の接離可能な係止手段で係止してもよい。また、当布５は、２枚使用し、観音開き状態で取り付けることにより、着用者の激しい動きによって当布５の自由端５ｂが一方にずれても、他方の当布５によって雌雄のホック部材３，４の露出を防止させることができる。さらに、雌雄のホック部材３，４の構造や形式は、他の公知の構造や形式のものを採用してもよい。また、当布５の構成は、図４の３層構造に制約されず、例えば、厚地の１枚生地で構成したり、２層の貼り合わせ構造としてもよい。また、カップ部１，２及び、土台部６，７を含むブラジャー全体の構成は、フルカップ形式、ハーフカップ形式、その他の形式のものに適用することができる。
【産業上の利用可能性】
【００２１】
本発明は、フロントホック形式のブラジャー全般に利用することができるものである。
【符号の説明】
【００２２】
１，２    左右のカップ部
３，４    雌雄のホック部材
３ａ、４ａ    取付基部
３ｂ    軸受筒部
３ｃ    開口部
３ｄ    切欠部
３ｅ    係止爪、
３ｆ    長孔
４ｂ    ブリッジ部
４ｃ    ヒンジ軸部
４ｄ    長孔
５    当布
５ａ    基部
５ｂ    先端部（自由端）
５ｃ    縫着糸
５ｄ    内層
５ｅ    外層
５ｆ    中間層
６，７    土台部
６ａ，７ａ    ホック取付部
６ｂ、７ｂ    縫着糸
８，９    肩紐
【図１】
0005642454.tif 000002
【図２】
0005642454.tif 000003
【図３】
0005642454.tif 000004
【図４】
0005642454.tif 000005